(57)【要約】【課題】  本発明が解決しようとする課題は、精度よく製造することができて、不感区域をつくらずに配線することのできる長さの自由なリング状スイッチを得ることにある。【解決手段】  本発明は、相対する２つの立上がり基端部につながる内側リングと外側リングにて長さを有すリング状のスイッチを形成し、該内外のリングに空間を挟んで押し接触により通電する導電ゴム体を相対嵌め付け、且つ前記の２つの立上がり基端部に沿った導電ゴム体のそれぞれに電極芯線を挿着したリング状スイッチを得、また該リング状スイッチは２つの立上がり基端部間の開口部の拡開にてスタンドに嵌め取付け、該スタンドの脚部を取付台にワンタッチ挿着して配線するようにしたリング状スイッチにある。【選択図】図３
2005209564.tif 000002
【特許請求の範囲】
【請求項１】
相対する２つの立上がり基端部につながる内側リングと外側リングにて長さを有すリング状のスイッチを形成し、該内外のリングに空間を挟んで押し接触により通電する導電ゴム体を相対嵌め付け、且つ前記の２つの立上がり基端部に沿った導電ゴム体のそれぞれに電極芯線を挿着したことを特徴とするリング状スイッチ。
【請求項２】
リング状スイッチは２つの基端部間の開口部の拡開にてスタンドに嵌め取付け、該スタンドの脚部を取付台に挿着して、リング状スイッチを配線するようにした請求項１記載のリング状スイッチ。
【請求項３】
スタンドの脚部と取付台は噛合条の噛合にて固定する請求項２記載のリング状スイッチ。
【請求項４】
スタンドの脚部は先端に錨形の止部を設けて取付台の拡げ溝に嵌着して固定する請求項２記載のリング状スイッチ。
【発明の詳細な説明】
【技術分野】
【０００１】
この発明はリング状スイッチ、詳しくは製造容易にして長さ自由に成形し得る全方向感知形のリング状スイッチに関するものである。
【背景技術】
【０００２】
この種のスイッチとしては、絶縁筒体内に４分割した導電ゴムを十字間隙を挟んで挿着し、対角点位置の導電ゴム内に２本の導電ワイヤを挿通することを記載している（特許文献１参照）。
【特許文献１】特開平１１−２２４５６２号公報
【発明の開示】
【発明が解決しようとする課題】
【０００３】
しかしながら、上記のスイッチは円形の外周を閉鎖的に覆う絶縁筒体内に僅かな間隔の十字間隙を存在するように４分割した導電ゴムを挿着するので十字間隙の精度を保って製造することが難しく、また断面円形の形状により床や壁などへの配線においてスイッチを抱き支えする取付具による不感区間をなくして配線することはできないという課題があった。さらに導電ゴム間を接触させる以上に長く強い押圧が加わると導電ゴムを損傷させことがあるという課題があった。
【課題を解決するための手段】
【０００４】
本発明は、相対する２つの立上がり基端部につながる内側リングと外側リングにて長さを有すリング状のスイッチを形成し、該内外のリングに空間を挟んで押し接触により通電する導電ゴム体を相対嵌め付け、且つ前記の２つの立上がり基端部に沿った導電ゴム体のそれぞれに電極芯線を挿着したリング状スイッチを得、また該リング状スイッチは２つの基端部間の開口部の拡開にてスタンドに嵌め取付け、該スタンドの脚部を取付台にワンタッチ挿着して配線するようにして、かかる課題を解決したのである。
【発明の効果】
【０００５】
本発明は相対する２つの立上がり基端部につながる内側リングと外側リングにて内外のリング間に空間を形成し、該空間を挟んで立上がり基端部と内外のリングの内面に沿って押し接触により通電する導電ゴム体を相対嵌め付けしたので、立上がり基端部によって内外のリング間の空間間隙、すなわちスイッチストロークを大きく精度よく一定に保持することができて曲折配線等による接触誤作動を防止することのできる長さの自由な全方向感知形のリング状スイッチを提供することができるという効果を生ずる。しかも導電ゴム体が接触して通電する以上に長く強い押圧が加えられたときは、内側リング内が中空により弾力的に逃げ変形することができるので、過度の押圧によるスイッチの損傷を防止することができるという効果を生ずる。
【０００６】
立上がり基端部間に開口部を設けてリング状スイッチの中空部をスタンドに嵌め取付けするようにしたので、該スタンドの脚部を壁等にあらかじめ取付ける取付台にワンタッチ挿着することによって、不感区間を生ずることなく容易に配線取付けすることができるという効果を生ずる。
【発明を実施するための最良の形態】
【０００７】
本発明は相対する２つの立上がり基端部につながる内側リングと外側リングの内面に空間を挟んで押し接触により通電する導電ゴム体を相対嵌め付けし、２つの立上がり基端部の内側に沿った導電ゴム体のそれぞれに電極芯線を挿着して長さ自由で全方向感知形のリング状スイッチを得るようにしたのである。また該リング状のスイッチの相対する立上がり基端部間の開口部の拡開によりスイッチ体と同長のスタンドのヘッド部をリング状スイッチの内側に嵌め取付けしてスイッチ体を支持し、スイッチ体の外方に表出する前記スタンドの脚部をあらかじめ壁等に沿わし取付けした取付台にワンタッチ挿着して、容易に配線することができるようにしたのである。
【実施例１】
【０００８】
図１（ａ）（ｂ）は本発明のリング状スイッチの実施例を示す図で、シリコーンゴム等の絶縁材料にて相対する２つの立上がり基端部１ａ，１ｂにて一体につながる内側リング１ｃと外側リング１ｄを形成し、該内外のリング１ｃ，１ｄに空間２を挟んで押し接触により通電する導電ゴム体３ａ，３ｂを相対して設け、且つ前記の２つの立上がり基端部１ａ，１ｂに沿った導電ゴム体３ａ，３ｂのそれぞれに電極芯線４ａ，４ｂを挿着して、導電ゴム体３ａ，３ｂ間の接触によって全方向からの押圧を感知してスイッチ作動するリング状スイッチ６を形成する。５は立上がり基端部１ａ，１ｂ間の開口部である。リング状スイッチ５は押出成形機（図示してない）を用いて長尺において連続成形することができる。リング状スイッチ６は開口部５を有しているため内側リング１ｃ内の中空部１０に成形用のダイを配した状態で押出し成形することができるので、内側リング１ｃ，外側リング１ｄ，両リングに挿着する導電ゴム体３ａ，３ｂおよび空間２の各形状を高精度に成形することができるものとなる。リング状スイッチ６は使用に際して必要長さに切断し、電極芯線４ａ，４ｂを検知器等に接続するリード線（図示してない）につなぎ、空間２内に埃や水分などが浸入しないようにしてスイッチ６の両端を閉塞するのである。
【０００９】
本発明のリング状スイッチ５は、立上がり基端部１ａ，１ｂと基端部１ａ，１ｂの内側に沿った導電ゴム体３ａ，３ｂの存在により、成形後も導電ゴム体３ａ，３ｂ間の空間２をしっかり維持することができるので、リング状スイッチ６が曲折したり捻れたりしたときも空間２が一定間隔に保持されて導電ゴム体３ａ，３ｂの不要な接触による誤作動を防止することができる。しかして導電ゴム体３ａ，３ｂの間は空間２であるため、軽い押圧（挟み圧）によって感度よく接触し感知するものとなる。立上がり基端部１ａ，１ｂの近くは構造上導電ゴム体３ａ，３ｂ間の接触のない不感部分となるが、挟み方向の押圧によって対向側部分の導電ゴム体３ａ，３ｂ間が接触するため実際上全方向感知形のスイッチとして機能するものとなる。なお内側リング１ｃ内が中空部１０となっているので、導電ゴム３ａ，３ｂ間を接触通電する以上の押圧が加わったときは弾力的に逃げ変形することがてきるため、過度の押圧によるスイッチの損傷を防止して長いストロークの押圧を受止めることができる。リング状スイッチ５は立上がり基端部１ａ，１ｂ間の開口部５を図１（ａ）のようにそのままにしておいてもよいが、図２に示すように立上がり基端部１ａ，１ｂ間を接着Ｓ閉じすることにより形状の安定性を向上することができる。
【実施例２】
【００１０】
図３はリング状スイッチ６を床や壁７などへ配線する例を示すもので、配線するリング状スイッチ６の長さと同長のスタンド８と取付台９を別途形成し（ａ）、リング状スイッチ６の開口部５を拡開してスタンド８の段拡したヘッド部８ａを内側リング１ｃ内の中空部１０内に収まるようにしてスタンド８に嵌付け（ｂ）、あらかじめ配線個所に取付けた取付台９の中央溝１１にスタンド８の脚部８ｂを押込んでワンタッチ取付けして配線するのである（ｃ）。中央溝１１の内面とスタンド８の外面に多数の噛合条１２ａ，１２ｂを設け、該噛合条１２ａ，１２ｂ間の噛合にて挿込んだスタンド８の脚部８ｂの抜出しを防止するようにして固定するのである。またスタンド８のヘッド部８ａの内側面と取付台９の上面９ａ，９ｂに数列の食込条１３ａ，１３ｂを設けて、スタンド８のヘッド部８ａと取付台９間で立上がり基端部１ａ，１ｂの内外面を食込条１３ａ，１３ｂにて挟み押えて、リング状スイッチ６に大きな外力が加えられても外れ出ないようにして安定取付けするのである。
【実施例３】
【００１１】
図４は噛合条にかえて、スタンド８の脚部８ｂの先端に錨形の止部１４ａ，１４ｂを設け、取付台９の中央溝１１の奥端に設けた拡げ溝１１ａに嵌着して固定するようにしたものである。スタンド８の挿込み量が全長に亘って必ず一定の深さとなるので、スイッチ感度と固定状態を安定したものとすることができる。
【産業上の利用可能性】
【００１２】
本発明のリング状スイッチは、スイッチ単体で全方向感知形のスイッチとして、またスタンドと取付台を用いて、機械装置、建物・乗物のドア、ロボットや自動走行車などの安全装置、塀や壁・床などに配線して防犯装置等のセンサースイッチとするなど広範な用途で利用することができる。
【図面の簡単な説明】
【００１３】
【図１】（実施例１）（ａ）はリング状スイッチの斜視図、（ｂ）は同、拡大断面図
【図２】開口部を接着閉じした例を示す拡大断面図
【図３】（実施例２）配線例を示すもので、（ａ）リング状スイッチとスタンドおよび取付台を各別に示す斜視図、（ｂ）はリング状スイッチとスタンドをセットした状態にて示す断面図、（ｃ）はスタンドを取付台に挿込み固定した配線状態の断面図
【図４】（実施例３）配線用のスタンドと取付台の他例を示す拡大断面図
【符号の説明】
【００１４】
１ａ，１ｂは立上がり基端部
１ｃは内側リング
１ｄは外側リング
２は空間
３ａ，３ｂは導電ゴム体
４ａ，４ｂは電極芯線
５は開口部
６はリング状スイッチ
７は床や壁などの配線場所
８はスタンド
８ａは段拡ヘッド部
８ｂは脚部
９は取付台
９ａ，９ｂは上面
１０は内側リング内の中空部
１１は中央溝
１１ａは拡げ溝
１２ａ，１２ｂは噛合条
１３ａ，１３ｂは食込条
１４ａ，１４ｂは錨形の止部
【図１】
2005209564.tif 000003
【図２】
2005209564.tif 000004
【図３】
2005209564.tif 000005
【図４】
2005209564.tif 000006